(57)【要約】  移動電子機器及び方法の実施形態が開示される。方法の実施形態において、ディスプレイにページが部分的に表示され、ディスプレイに表示されていない部分でページが変更されたことの情報が受信される。一実施形態において、ユーザはその変更を通知される。
2011530753.tif 000002
【特許請求の範囲】
【請求項１】
移動電子機器であって、
ディスプレイと、
前記ディスプレイ上にページの一部を表示するように構成されたディスプレイ制御回路とを有し、
前記ディスプレイ制御回路は、前記ページの前記ディスプレイに表示されていない部分における前記ページの変化を登録し、前記変化を前記移動電子機器のユーザに報知するように構成されることを特徴とする移動電子機器。
【請求項２】
前記表示制御回路が、プロセッサと、メモリとを有し、
前記メモリは前記プロセッサが実施可能なプログラムを少なくとも１つ有し、前記少なくとも１つのプログラムは実行されると前記表示、前記登録及び前記報知を行わせることを特徴とする請求項１記載の移動電子機器。
【請求項３】
前記ページは動的に変化するコンテンツを有するウェブページであり、前記少なくとも１つのプログラムはブラウザプログラムであることを特徴とする請求項２記載の移動電子機器。
【請求項４】
ユーザ入力回路をさらに有し、
前記登録が、前記ユーザ入力回路を通じたユーザ動作の登録と、前記ユーザ動作の結果として前記ページの一部の前記変化が生じることの判定を含むことを特徴とする請求項１乃至請求項３のいずれか１項に記載の移動電子機器。
【請求項５】
前記報知が、前記変化を示す情報を前記ディスプレイに表示することを含むことを特徴とする請求項１乃至請求項４のいずれか１項に記載の移動電子機器。
【請求項６】
前記情報が、前記ページの前記変化した部分の少なくとも一部を含むことを特徴とする請求項５記載の移動電子機器。
【請求項７】
前記情報が、前記ページの現在表示されている部分に透過的に重ねて表示される情報を含むことを特徴とする請求項５又は請求項６記載の移動電子機器。
【請求項８】
前記報知が、音声信号の再生、前記ディスプレイへのアニメーション表示、及び前記ディスプレイへの前記ページの概観の表示を含むことを特徴とする請求項１乃至請求項７のいずれか１項に記載の移動電子機器。
【請求項９】
前記ディスプレイ制御回路はさらに、前記ユーザが前記ページの前記変化した部分を見る必要があるかどうかを示す指示をユーザから受信し、前記ユーザから受信した前記指示が、前記ユーザが前記変化した部分を見る必要があることを示す場合には、前記ページの前記変化した部分を表示するように構成されることを特徴とする請求項１乃至請求項８のいずれか１項に記載の移動電子機器。
【請求項１０】
前記移動電子機器が、携帯電話、携帯情報端末、ゲーム機器、ナビゲーションシステム、及びノートパソコンを含むグループから選択されることを特徴とする請求項１乃至請求項９のいずれか１項に記載の移動電子機器。
【請求項１１】
ディスプレイにページを部分的に表示するステップと、
前記ページの前記ディスプレイに表示されていない部分で前記ページが変更されたことの情報を受信するステップと、
前記変更をユーザに報知するステップと、
を有することを特徴とする方法。
【請求項１２】
前記報知するステップが、
前記ページが変更された部分と、前記変更を強調した前記ページの概観とを含むグループから選択された１つの要素を前記ディスプレイに表示するステップを有することを特徴とする請求項１１に記載の方法。
【請求項１３】
前記１つの要素を表示するステップが、透過的な方法で実行されることを特徴とする請求項１２記載の方法。
【請求項１４】
前記方法が、前記変更の要因となるユーザ入力を受信するステップをさらに有することを特徴とする請求項１１乃至請求項１３のいずれか１項に記載の方法。
【請求項１５】
さらに、前記ページをネットワークから受信するステップを有することを特徴とする請求項１１乃至請求項１４のいずれか１項に記載の方法。
【発明の詳細な説明】
【技術分野】
【０００１】
本願は移動電子機器及び、例えば移動電子機器を操作するために利用可能な方法に関する。
【背景技術】
【０００２】
移動電子機器は日常生活で一般的に用いられる生活必需品である。そういった移動電子機器の例としては携帯電話や携帯情報端末(PDA)のみならず、例えばラップトップコンピュータがある。そのような移動電子機器は、例えばワールドワイドウェブ(WWW)内の移動やWWWのホームページの閲覧を目的としたインターネットのアクセスにますます用いられるようになっている。
【０００３】
通常、ウェブページは、例えば１５インチディスプレイ、１７インチディスプレイ又は２１インチディスプレイ（インチ数はディスプレイの対角線の大きさ）といった比較的大きく、それに応じた高解像度（通常用いられる解像度をいくつか例示すれば例えば１０２４×７６８画素、８００×６００画素又は１２８０×１０２４画素）を有するディスプレイ、を有するコンピュータを用いて閲覧することを想定して設計されている。しかし、例えば上述した携帯電話や携帯情報端末のような多くの移動電子機器は、かなり小さく低解像度のディスプレイを有しており、通常はウェブページ全体のごく一部しか表示することができない。
【０００４】
ウェブページはいわゆる動的コンテンツをますます有するようになっており、特に非同期JavaScript（登録商標）及びＸＭＬ（ＡＪＡＸとよばれることもある）の使用が増えている。そのようなウェブページはそのコンテンツを動的に、例えばユーザ入力に応答して、あるいは所定の時間間隔で周期的に変化させる。そのような変化はウェブページ全体の一部に関するものであることが多いので、ウェブページの比較的小さな部分だけが表示される小型ディスプレイでは、その変化がウェブページの現在表示されていない部分にのみ関連することがあり得る。従って、ユーザはそのウェブページのコンテンツ変化や更新された部分に気付かないかもしれず、重要な情報を見逃すかもしれない。
【発明の概要】
【０００５】
一実施形態において、以下の構成を有する移動電子機器が提供される。ディスプレイ及び、前記ディスプレイにページの一部を表示するように構成されたディスプレイ制御回路。前記ディスプレイ制御回路は、前記ページの前記ディスプレイの表示されていない部分における前記ページの変化を登録し、前記変化を前記移動電子機器のユーザに報知するように構成されている。
【０００６】
一実施形態において、前記ディスプレイ制御回路はプロセッサ及びメモリを有し、前記メモリは前記プロセッサが実施可能なプログラムを少なくとも１つ有し、前記少なくとも１つのプログラムは実行されると前記表示、前記登録及び前記報知を行わせる。
【０００７】
前記ページには動的に変化するコンテンツを有するウェブページが含まれてよく、前記少なくとも１つのプログラムにはブラウザプログラムが含まれてよい。
【０００８】
前記移動電子機器は、ユーザ入力回路をさらに有してもよい。そのような実施形態において、前記登録において、前記ユーザ入力回路を通じたユーザ動作の登録と、前記ユーザ動作の結果、前記ページの一部の前記変化が生じることの判定を行ってもよい。
【０００９】
一実施形態において、前記報知において、前記変化を示す情報を前記ディスプレイに表示してもよい。
【００１０】
前記情報は前記ページの前記変化した部分の少なくとも一部を含んでよい。
【００１１】
前記情報は、前記ページの現在表示されている部分に透過的に重ねて表示される情報を含んでもよい。
【００１２】
一実施形態において、前記報知は、音声信号の再生、前記ディスプレイへのアニメーション表示、及び前記ディスプレイへの前記ページの概観の表示を含んでもよい。
【００１３】
前記ディスプレイ制御回路はさらに、前記ユーザが前記ページの前記変化した部分を見る必要があるかどうかを示す表示をユーザから受信し、前記ユーザから受信した前記表示が前記ユーザが前記変化した部分を見る必要があることを示す場合には前記ページの前記変化した部分を表示するように構成されてもよい。
【００１４】
前記移動電子機器は、携帯電話、携帯情報端末、ゲーム機器、ナビゲーションシステム、及びノートパソコンを含むグループから選択されてよいが、これらに限定されない。
【００１５】
別の実施形態においては、
ディスプレイにページを部分的に表示するステップと、
前記ページの前記ディスプレイに表示されていない部分で前記ページが変更されたことの情報を受信するステップ、及び
前記変更をユーザに報知するステップ、を有する方法が提供される。
【００１６】
前記報知するステップは、前記ページが変更された部分と、前記変更を強調した前記ページの概観とを含むグループから選択された１つの要素を前記ディスプレイに表示するステップを有しうる。
【００１７】
前記１つの要素を表示するステップは、透過的な方法で実行されてよい。
【００１８】
一実施形態において、前記方法は前記変更の要因となるユーザ入力を受信するステップを有する。
【００１９】
前記方法は、前記ページをネットワークから受信するステップを有してもよい。
【００２０】
上述の特徴は、明確な否定がなされていない限り、本技術分野に属する当業者が望むように、互いに制限なく組み合わせられてよいことを理解されたい。
【図面の簡単な説明】
【００２１】
【図１】本発明の実施形態に係る移動体機器を示す模式図である。
【図２】本発明の実施形態に係る方法を示すフローチャートである。
【図３Ａ】一実施形態に係るウェブページの一部表示の例を示す図である。
【図３Ｂ】本発明の実施形態による、図３Ａの表示上への更新通知の例を示す図である。
【発明を実施するための形態】
【００２２】
以下、本発明の実施形態に関して詳細に説明する。なお、以下における実施形態の説明は、単に例示を目的としたものであって、限定を意図したものとして解釈すべきものでないことを理解されたい。以下に説明する実施形態や図面は例示としてのみ解釈されるべきであり、本発明の範囲がそれらによって限定されることは意図されていない。本発明の範囲は、添付の特許請求の範囲とその等価物によってのみ限定されるべきであることが意図されている。
【００２３】
図面は単なる模式的な表現と目されるべきであり、図面における構成要素は必ずしも互いに縮尺されていない。むしろ、様々な構成要素の表現は、それらの機能及び一般的な用途が当業者に明らかであるように選ばれている。
【００２４】
さらに、以下の実施形態の説明において、図面や説明における機能ブロック、デバイス、部品、回路要素又は、他の物理的又は機能的ユニット間の直接的な接続又は結合、すなわち、介在する要素無しでの接続又は結合は、間接的な接続又は結合、すなわち１つ以上の追加的な介在要素を用いた接続又は結合によって実施することも可能であることを理解されたい。また、図面において、実施形態を複数の機能ブロック又はユニットに区分していることは、それらのユニットが物理的に個別のユニットによって実施される必要があることを示すものと解釈されるべきではない。機能ブロック又はユニットは別個の回路、チップ又は回路要素として実施されてもよいが、１つ以上の機能ブロック又はユニットが共通回路やチップ内で実施されてもよい。
【００２５】
以下に説明する様々な実施形態の特徴は、明確に否定されている場合を除き、互いに組み合わせられてよいことを理解すべきである。
【００２６】
さらに、複数の構成要素又は特徴を有する実施形態を説明することは、本発明を実施する上でそれら構成要素又は特徴の全てが必要であるというように解釈されるべきではないことを理解されたい。代わりに、別の実施形態においてはそれら構成要素又は機能の一部だけが実施されてよく、代替的もしくは追加的な付加要素又は特徴が提供されてもよい。
【００２７】
図１に、本発明の実施形態に係る移動電子機器２０を示す。図１の移動電子機器２０は携帯電話であってよいが、携帯情報端末、ラップトップコンピュータ、ゲーム機器、携帯音楽プレーヤ、ナビゲーションシステム、又はそれらの組み合わせのような、他の種類の携帯電子機器であってもよい。なお、図１においては移動電子機器２０の一部構成要素のみが示されており、移動電子機器はその種類に応じて他の構成要素を有しても有さなくてもよいことに留意されたい。例えば、移動電子機器が携帯電話である場合、アンテナ、マイク、SIMカード又はそれらのためのインタフェース、又は他の電子部品のような、携帯電話が従前有する構成要素は、図１に明示されていなくても存在していてよい。
【００２８】
図１の実施形態の移動電子機器２０は、通常移動電子機器が有する、例えばキーパッド、１つ以上のボタン、ジョイスティック、及び他の入力手段の少なくとも１つを備えていてよいユーザ入力装置２１を有する。ユーザ入力装置２１を介してユーザが入力した情報はプロセッサ２２で処理される。さらに、移動電子機器２０はプロセッサ２２によって制御され、情報を表示するディスプレイ２３と、音声メッセージ、音声、又は音楽を出力するオーディオユニット２５を有する。なお、ディスプレイ２３はいわゆるタッチスクリーンディスプレイであってよく、ユーザ入力装置２１もしくはその一部として機能してもよいことに留意されたい。
【００２９】
移動電子機器２０はさらに、ネットワーク２９と通信するための通信回路２６を有する。例えば、移動電子機器２０がセルラ電話機である場合、通信回路２６はGSM（登録商標）、GPRS、EDGE、又はUMTS電気通信規格に従って通信する通信回路であってよい。別の実施形態において、通信回路２６は例えば無線LAN回路、ブルートゥース通信回路、又は有線ベースの通信回路であってよい。
【００３０】
一実施形態において、任意の適切な電気通信ネットワークであってよいネットワーク２９を介して、移動電子機器２０は情報、例えばインターネットの情報（いわゆるワールドワイドウェブ(WWW)のウェブページのようなもの）にアクセス可能である。そのようなウェブページをディスプレイ２３に表示するため、ブラウザプログラム２７が移動電子機器２０のメモリ２４に備えられている。プロセッサ２２がブラウザプログラム２７を実行すると、ユーザはワールドワイドウェブを検索することができるが、ウェブページをナビゲートしたり、HTML（ハイパーテキストマークアップ言語）、JAVA（登録商標）、又はXMLのような、ブラウザプログラム２７によって構文解析可能な言語で符号化されたページを閲覧したりすることができる。なお、そのような符号化されたページは、例えばメモリ２７に格納されてよい。
【００３１】
導入部で述べたように、そのようなウェブページは、例えば１５インチディスプレイ、１７インチディスプレイ又は２１インチディスプレイである、相応する高解像度を有する比較的大きなディスプレイでの閲覧を想定して設計されていることが多い。一実施形態において、移動電子機器２０のディスプレイ２３はそういったディスプレイよりもかなり小さい。例えば、携帯電話や携帯情報端末のディスプレイはその種類に応じて対角約２．５〜４インチの画面を有するものが一般的であり、通常は３００×３００画素オーダの解像度、例えば２４０×３２０画素の解像度を有する。ただし、本発明はこの点には限定されない。従って、多くのウェブページについて、ある時点においては比較的小さな部分だけが原寸(full size)で表示される。一実施形態において、ブラウザ２７はさらに、縮小形式でウェブページ全体がディスプレイ２３に表示される概観モードを提供し、ユーザはウェブページのどの部分を見るか選ぶことができる。
【００３２】
最近、ウェブページは動的なコンテンツを有することが多く、例えばユーザ入力や対応するウェブサーバによる更新により、ウェブページの一部が動的に変化しうる。ウェブページの、ディスプレイ２３に表示されていない部分が変更されたり更新された場合、変更をユーザに気付かさせるために、ブラウザ２７に、変更をユーザに気付かせる機能を有するアドオン２８が設けられている。アドオン２８は例えばブラウザ２７用のいわゆるプラグインであってよい。別の実施形態において、個別のアドオン２８は提供されず、同様の機能がブラウザ２７、例えばブラウザ２７のユーザインタフェースに、直接統合される。さらに別の実施形態において、以下により詳細に説明するようなユーザ警報機能が、ブラウザによって提供されるウェブページの表示を受け持つ別個のソフトウェアプログラムに提供される。
【００３３】
図１の実施形態において、プロセッサ２２は、メモリ２４に格納されたブラウザ２７及びアドオン２８（すなわちプログラム）とともに、ディスプレイ２３及びディスプレイ２３上へのウェブページの表示を制御するディスプレイ制御回路として機能する。別の実施形態において、そのようなディスプレイ制御回路は別の方法、例えばファームウェアによって実施されてもよい。
【００３４】
次に、図２、図３Ａ及び図３Ｂを参照して、アドオン２８又は上述した類似要素の動作を詳細に説明する。
【００３５】
図２において、フローチャートは例えばアドオン２８を通じて実施されても、ブラウザ２７自身において実施されてもよい方法を示している。一実施形態において、方法はウェブページの表示と並行して実行される。方法は１０でスタートする。１１で、ウェブページの一部を変更させうるイベントが登録される。一例として、１１では、ユーザがページのチェックボックスのような構成要素を、例えばキーパッド、移動電子機器のジョイスティック又は図１のユーザ入力装置２１によって制御可能なポインタを用いてクリックしたことが登録されてよい。登録されてもよい別のイベントは、例えば図１の実施形態の通信回路２６を介してウェブサーバからデータを受信したことである。なお、ある実施形態ではこの種のイベントの全てが登録されてよいが、別の実施形態ではこの種のイベントの一部又は１つだけが登録される。一実施形態において、どのイベントが登録又は監視されるかを、ユーザ設定可能にしてもよい。
【００３６】
図１の実施形態において方法が実施される場合、ユーザ入力装置２１及び／又は通信回路２６は、ウェブページの変化を導く情報を取得するための回路又は要素として機能してよい。
【００３７】
１２では、１１で登録されたイベント、例えばユーザが実行した動作の結果として、ウェブページの現在表示されていない部分の動的な更新、すなわち変更、がなされたか否かを確認する。もしそのような変更に至っていない場合、すなわち、変化がないか、現在表示されている範囲内で変化が生じた場合には、図２の実施形態の方法は１０に移行する。登録されたイベントの結果としてウェブページの表示された部分の外での動的な更新が生じた場合には、１３でユーザが更新への注意を喚起される。例えば、ある実施形態では、ウェブページの変更された部分が、ディスプレイの透過的な部分に（すなわち、透過的な方法で）表示される。この文脈における「透過的」とは、変化した部分が透過的な部分に表示される前に表示されていたコンテンツが依然として視認できる状態であることを示している。例えば、一実施形態において、ウェブページ全体の概観が、変化した部分の位置を示された状態で透過的に表示されてもよい。別の実施形態においては、変化した部分のみが表示されてもよい。さらに別の実施形態では、透過的に表示する代わりに、透明度なしで表示が行われてもよい。いくつかの実施形態において、変化した部分の表示は予め定められた時間、例えば５秒間実行されてよいが、より短い期間もしくは長い期間であってもよい。さらに別の実施形態では、ウェブページで変化が生じた領域又は部分にユーザを注目させるために、適切な色及びアニメーションの少なくとも一方を用いて表示を行ってもよい。さらに別の実施形態では、さらに、あるいは代替構成として、変更をユーザに警報するために、例えば図２０の実施形態のオーディオユニット２５を介して、音響信号又はメッセージが与えられる。
【００３８】
１４では、表示の更新された部分、すなわち変更が実施された部分、の閲覧をユーザが希望していることを、ユーザが指示しているかどうかを確認する。一実施形態において、ユーザは、１３で透過的もしくは非透過的に表示されている、変化した部分をクリックすることで、この指示を行うことができる。別の実施形態において、ユーザは、例えば更新された部分を選択された状態(activate)にするための特定のキーを押下することができる。さらに別の実施形態においては、例えば「はい」ボタン又は「いいえ」ボタンを選択することにより、更新された部分をユーザが見たいかどうかを明示的に指示可能であるという問い合わせをユーザに提示してもよい。
【００３９】
更新された部分を見たいことをユーザが指示した場合、１６において、例えば透過部分に表示されていた更新ページ部分に対してズームを実行するか、換言すれば、更新された部分がディスプレイに表示される。更新された部分をユーザが選択状態にしなかった場合、１５において、透過的な部分は再び「隠れた状態」にされる。すなわち、１３で変化した部分が透過的な部分に表示される前の状態に表示が戻る。上述した透過的な部分の隠蔽は、例えば、予め定められた時間の経過後に、あるいはユーザが変更された部分を見ることを希望しないことを例えば対応するボタンをクリックすることによって明示的に指示した際に、実行されてよい。
【００４０】
図２の方法をさらに説明するため、図２の実施形態の動作１１〜１３の例を図３Ａ及び図３Ｂを参照して説明する。図３Ａにおいて、ウェブページの一部の単純な例が示されたデイスプレイ３０が図示されている。ウェブページのこの部分において、ユーザは例えば何らかの項目の完全なリスト又は短いリストのいずれかを選択することができる。この選択は、「完全なリスト」又は「短いリスト」の前にあるボックスのクリックによって実行されてよい。この例では、ユーザの選択により、完全なリスト又は短いリストがウェブページの別の場所に表示されるようになる。すなわち、ウェブページの現在表示されていない他のどこかが、完全なリスト又は短いリストを表示するように変化する。
【００４１】
更新をユーザに知らせるため、図３Ｂに示すように、透過部分（図３ではグレーで示している）が表示されている。図３Ｂに示す例では、透過部分はウェブページ全体の概観(overview)を示している。図３Ｂの例において、「現在位置」という言葉は、ディスプレイ３０上に現在示されているウェブページの部分（すなわち、図３Ａに示した部分）の位置を示しており、「更新位置」という言葉は、更新が生じた部分の位置を示している。一実施形態において、例えば「更新位置」部分をクリックすることにより、更新された部分が表示され、他のいずれかの部分がクリックされると透過表示が除去される。既に述べたように、更新をユーザに知らせる図３Ｂに示す方法は多くの考えられる方法の単なる１つに過ぎず、上述した他の方法を実施してもよい。例えば、ウェブページ全体の概観が表示されている状態で、ウェブページの現在表示されている部分から更新された部分に移動する、着色された（例えば赤の）長方形を、アニメーションとして、透過的もしくは不透明に表示してもよい。
【００４２】
なお、上述の実施形態では、インターネットから検索されたウェブページを一例として用いたが、別の実施形態においては、メモリやハードディスクドライブのような内部又は外部記憶装置からのウェブページが対応するディスプレイ上に表示されてもよいし、あるいは、現在表示されていない部分でコンテンツが変化する、ウェブページ以外のページ又は他のグラフィカルな表現が表示されてもよい。
【００４３】
従って、上述の説明から明らかなように、添付の特許請求の範囲及びその等価物によってのみ規定されるべきである本発明の範囲内で、数多くの変更物又は派生物が考えられる。
【図１】
2011530753.tif 000003
【図２】
2011530753.tif 000004
【図３Ａ】
2011530753.tif 000005
【図３Ｂ】
2011530753.tif 000006
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
移動電子機器であって、
ディスプレイと、
前記ディスプレイ上にページの一部を表示するように構成されたディスプレイ制御回路とを有し、
前記ディスプレイ制御回路は、前記ページの一部の変化を生じさせうるイベントを、該イベントが前記ページの前記ディスプレイに表示されていない部分の変化を生じさせるかどうかを確認するために登録し、前記イベントが前記ディスプレイに表示されていない部分の変化を生じさせる場合には、該変化を前記移動電子機器のユーザに報知するように構成されることを特徴とする移動電子機器。
【請求項２】
前記表示制御回路が、プロセッサと、メモリとを有し、
前記メモリは前記プロセッサが実施可能なプログラムを少なくとも１つ有し、前記少なくとも１つのプログラムは実行されると前記表示、前記登録、前記確認、及び前記報知を行わせることを特徴とする請求項１記載の移動電子機器。
【請求項３】
前記ページは動的に変化するコンテンツを有するウェブページであり、前記少なくとも１つのプログラムはブラウザプログラムであることを特徴とする請求項２記載の移動電子機器。
【請求項４】
ユーザ入力回路をさらに有し、
前記登録が、前記ユーザ入力回路を通じたユーザ動作の登録と、前記ユーザ動作の結果として前記ページの一部の前記変化が生じることの判定を含むことを特徴とする請求項１乃至請求項３のいずれか１項に記載の移動電子機器。
【請求項５】
前記報知が、前記変化を示す情報を前記ディスプレイに表示することを含むことを特徴とする請求項１乃至請求項４のいずれか１項に記載の移動電子機器。
【請求項６】
前記情報が、前記ページの前記変化した部分の少なくとも一部を含むことを特徴とする請求項５記載の移動電子機器。
【請求項７】
前記情報が、前記ページの現在表示されている部分に透過的に重ねて表示される情報を含むことを特徴とする請求項５又は請求項６記載の移動電子機器。
【請求項８】
前記報知が、音声信号の再生、前記ディスプレイへのアニメーション表示、及び前記ディスプレイへの前記ページの概観の表示を含むことを特徴とする請求項１乃至請求項７のいずれか１項に記載の移動電子機器。
【請求項９】
前記ディスプレイ制御回路はさらに、前記ユーザが前記ページの前記変化した部分を見る必要があるかどうかを示す指示をユーザから受信し、前記ユーザから受信した前記指示が、前記ユーザが前記変化した部分を見る必要があることを示す場合には、前記ページの前記変化した部分を表示するように構成されることを特徴とする請求項１乃至請求項８のいずれか１項に記載の移動電子機器。
【請求項１０】
前記移動電子機器が、携帯電話、携帯情報端末、ゲーム機器、ナビゲーションシステム、及びノートパソコンを含むグループから選択されることを特徴とする請求項１乃至請求項９のいずれか１項に記載の移動電子機器。
【請求項１１】
ディスプレイにページを部分的に表示するステップと、
前記ページの一部の変化を生じさせうるイベントを登録するステップと、
前記イベントが前記ページの前記ディスプレイに表示されていない部分の変化を生じさせるかどうかを確認するステップと、
前記イベントが前記ディスプレイに表示されていない部分の変化を生じさせる場合には、該変化をユーザに報知するステップと、
を有することを特徴とする方法。
【請求項１２】
前記報知するステップが、
前記ページが変更された部分と、前記変更を強調した前記ページの概観とを含むグループから選択された１つの要素を前記ディスプレイに表示するステップを有することを特徴とする請求項１１に記載の方法。
【請求項１３】
前記１つの要素を表示するステップが、透過的な方法で実行されることを特徴とする請求項１２記載の方法。
【請求項１４】
前記方法が、前記変更の要因となるユーザ入力を受信するステップをさらに有することを特徴とする請求項１１乃至請求項１３のいずれか１項に記載の方法。
【請求項１５】
さらに、前記ページをネットワークから受信するステップを有することを特徴とする請求項１１乃至請求項１４のいずれか１項に記載の方法。
【国際調査報告】
2011530753.tif 000007
2011530753.tif 000008
2011530753.tif 000009